【事件の表示】
　平成　４年特許願第２１５９６４号「画像処理装置」拒絶査定不服審判事件〔平成　６年　３月　４日出願公開，特開平　６−　６２２０２〕について，次のとおり審決する。
【結　論】
　本件審判の請求は，成り立たない。
【理　由】
１　手続の経緯・本願発明
　本願は，平成４年８月１３日の出願であって，その請求項１に係る発明は，特許請求の範囲の請求項１に記載された次のとおりのものと認める。（以下「本願発明」という。） 
　「【請求項１】　画像データを入力するための入力手段と，
　この入力手段によって入力された画像データを記憶する記憶手段と，
　前記入力手段によって入力された画像データに基づいてシート上に画像を形成する画像形成手段と，
　前記入力手段によって入力された画像データに対して複数の出力モードを組合せた複合出力モードを指定可能な指定手段と，
　この指定手段によって複合出力モードが指定された場合，入力された画像データに対して複数の出力モードで複数の画像を形成するように制御する制御手段とを有する画像処理装置。 」
　
２　引用刊行物記載の発明
　これに対して，原査定の拒絶の理由に引用された，「特開昭６２−６３９４８号公報」（以下「引用例１」という。）には，次の事項が記載されている。
　(１)　「用紙サイズや複写枚数等の複写条件を入力する入力手段と，この入力された複写条件に応じた複写処理を行う複写機において，
　同一原稿に対する複数の複写条件を記憶するメモリと，このメモリに対して前記入力手段によって入力された複写条件の記憶を指示する指示手段と，複写動作開始前に前記メモリに記憶された内容を自動的に読出して複写条件の設定を行う読出手段と，を設け，同一の原稿に対して前記読出手段により設定された複写条件で順次複写処理を行うようにした複写機。」（特許請求の範囲）
  　
　(２)　「この発明は，用紙サイズや複写枚数等の複写条件を予め設定することによって，同一の原稿に対して複写条件を順次変えて，自動的に複写処理を行うようにした複写機に関する。」（＜技術分野＞の項）
　
　（３）　「以上のように構成することによって，上記メモリに予め用紙サイズや複写枚数等の複写条件を設定しておき，複写動作を開始させる場合に上記メモリから記憶内容を読み出して複写条件の設定を自動的に行うことができる。このように複写条件の設定を複写動作開始前に順次行うことによって，同一の原稿に対して上記メモリに予め記憶した複写条件で順次複写処理を行うことができる。例えば原稿をＡＤＦに一度セットするだけで複数の複写条件に基づいた複写処理を順次自動的に行うことができる。したがって原稿の入れ直しの手間を省き，また原稿の給送等も一度だけであるため全体として複写処理の時間を短縮することができる。」（２頁左上欄１９行〜右上欄１２行）
　
　(４)　 「キー操作部は複写枚数を入力するテンキー，露光量を調節するキー２２ａ，２２ｂ，複写倍率の設定を行う拡大キー，縮小キー，用紙サイズを選択するカセットキーを含む。これらのキーによって複写条件を入力する。」（３頁右上欄８〜１２行）
　
　(５)　「オペレ−タはこれらのキー人力装置と表示部を用いて同一の原稿に対して異なった複数の複写条件で順次複写処理を行うことができる。」（３頁左下欄４〜７行）
　
　(６)　「このようにして最初の複写条件をプログラムメモリに記憶させた後，次に複写ずべき複写条件を上記各種キー操作によって入力した後，セットキーを操作すれば，プログラムメモリの２番目の領域に各種複写条件が記憶される。
　プリントキーが押された場合，第３図（Ｈ）に示すようにまずＡＤＦが原稿を原稿載置台にセットし，予約モ−ドであればバッファＮにポインタｉを待避させる（ｎ９０→ｎ９２）。その後，ポインタｉに初期値１を入力し，プログラムメモリの１番目の内容を複写条件を表す各種バッファに読み出して，これらを表示するとともに複写処理を開始する（ｎ９４→ｎ９６→ｎ９８→ｎ１００）。次にポインタｉの内容と既に待避したバッファＮとの比較を行って一致するまでポインタｉをインクリメントしてプログラムメモリの内容を読み出して，同様に処理を行う（ｎ１０２→ｎ１０４→ｎ９６）。このようにしてプログラムメモリに記憶されている複数の複写条件に応じて順次複写処理を行う。Ｎ個の複写条件に基づいてすべての複写処理を終了した後，次に複写すべき原稿があるか判別し，あればその原稿をセットして上記と同様の処理を行う」  （４頁右上欄１４行〜左下欄１６行）
　
　同じく，原査定の拒絶の理由に引用された，「特開昭６１−２６５９７１号公報」（以下「引用例２」という。）には，次の事項が記載されている。
　
　(７)　 「【特許請求の範囲】（１）一括して統一された多数枚の原稿を順次１枚ずつ給送する自動原稿給紙装置と，この自動原稿給紙装置より給紙された原稿の画像をディジタル的に読み取る読取装置と，読み取られた画像を記憶するための画像メモリと，前記読取装置で読み取られた画像デ−タを直接又は編集加工して前記画像メモリに書き込む書込制御手段と，画像メモリに記憶された画像デ−タに基づいて用紙上に原稿イメ−ジを形成する画像形成手段とを有するデイジタル画像形成装置において，原稿画像の大きさと用紙のサイズとから原稿画像の複写倍率を自動的に検知して，画像を拡大又は縮小して用紙に形成するオ−ト倍率モ−ド選択手段を設けたことを特徴とするデイジタル画像形成装置。」
　
　(８)　 「［発明の実施例］以下，本発明の一実施例を図面を参照して説明する。本実施例は自動原稿送り装置を備えた２色レーザプリンタに関するものである。」
　
　同じく，原査定の拒絶の理由に引用された，「特開平２−８１５６３号公報」（以下「引用例３」という。）には，次の事項が記載されている。
　
　(９)　「【特許請求の範囲】１）ａ）原稿の画像情報を読取る原稿読取手段と，ｂ）該原稿読取手段の画像読取位置まで前記原稿を自動給送する自動原稿送り手段と，ｃ）該自動原稿送り手段にセット可能な所定枚数またはそれ以上の枚数の原稿の画像情報を前記原稿読取手段から入力して記憶し，記憶した該画像情報を消去可能な画像記憶手段と，ｄ）該画像記憶手段または前記原稿読取手段から供給される前記画像情報に基いて被記録材に像形成して画像記録する画像記録手段と，ｅ）これらの各手段を駆動制御する制御手段とを有する画像記憶装置であって，ｆ）該制御手段の制御により，記録開始時では前記自動原稿送り手段で前記原稿を１枚づつ前記画像読取位置へ自動給送して前記原稿読取手段で該原稿を順次読取らせ，該原稿読取手段で読取った画像情報を前記画像記憶手段に記憶すると同時に，前記原稿読取手段で読取った画像情報または前記画像記憶手段から読出した画像情報を用いて前記画像記録手段で像形成させ，複数部目の繰返し記録時では，前記画像記憶手段から読出した画像情報を用いて前記画像記録手段で像形成させることを特徴とする画像記録装置。」
  　
　(10)　「［産業上の利用分野］本発明は，複写機またはファクシミリ等の画像記録装置に関し，特に原稿の自動送り装置を有する画像記録装置に関する。」
　
３　対比
　本願発明と引用例１に記載された発明（以下，「引用発明」という。）を対比する。
　引用発明は，複写機に関するものであり，本願発明と同様，画像処理装置の技術に含まれるものであるから，両者は技術分野を同じにしているとみることができる。
　引用発明では，「複写条件の設定を複写動作開始前に順次行うことによって，同一の原稿に対して上記メモリに予め記憶した複写条件で順次複写処理を行うことができ」，「例えば原稿をＡＤＦに一度セットするだけで複数の複写条件に基づいた複写処理を順次自動的に行うことができる」（前掲（３））とあり，ここで，「複写条件」とは「キー操作部は複写枚数を入力するテンキー，露光量を調節するキー２２ａ，２２ｂ，複写倍率の設定を行う拡大キー，縮小キー，用紙サイズを選択するカセツトキーを含む。これらのキーによって複写条件を入力する。」（前掲(４)）ことから，キーによって入力される複写枚数や用紙サイズ等が複写条件であることが理解できる。
　さらに，「オペレータはこれらのキー人力装置と表示部を用いて同一の原稿に対して異なった複数の複写条件で順次複写処理を行うことができる。」こと，そして「最初の複写条件をプログラムメモリに記憶させた後，次に複写すべき複写条件を上記各種キー操作によって入力した後，セットキーを操作すれば，・・・プログラムメモリの１番目の内容を複写条件を表す各種バッファに読み出して，これらを表示するとともに複写処理を開始する・・・このようにしてプログラムメモリに記憶されている複数の複写条件に応じて順次複写処理を行う。Ｎ個の複写条件に基づいてすべての複写処理を終了した後，次に複写すべき原稿があるか判別し，あればその原稿をセットして上記と同様の処理を行う」（前掲(６)）ことから，複写枚数や複写倍率，用紙サイズ等を選択し記憶する複数の複写条件を設定し，１回のプリントキーの操作で，同一の原稿に対して異なった複数の複写条件で順次複写処理を行うことができることと認められる。
 　本願発明の「出力モード」は，明細書の発明の効果の項である【００５６】段には「本発明によれば，一度の入力処理で得られる複数ページの画像データに対して，初期の出力指定により，異なる出力モードで出力できるため，一旦入力した後に編集処理モード等で改めて出力モードを設定してやるような煩わしい操作を必要とすることなく所望の出力が得られる。」とあることから，本願発明の異なる出力モードは，引用発明の異なった複数の複写条件に基づく出力モードに相当するといえる。
　そしてこのことは，表現を替えれば，引用発明も複数の出力モードを組み合わせた複合出力モードで複数の複写を実行していると解することになんら不都合は生じない。
　
　以上を踏まえると，本願発明は引用発明と次の一致点及び相違点を有する。
【一致点】
　画像データを入力するための入力手段と，この入力手段によって入力された画像データに基づいてシート上に画像を形成する画像形成手段と，前記入力手段によって入力された画像データに対して複数の出力モードを組合せた複合出力モードを指定可能な指定手段と，この指定手段によって複合出力モードが指定された場合，入力された画像データに対して複数の出力モードで複数の画像を形成するように制御する制御手段とを有する画像処理装置。
【相違点】
　本願発明では，入力手段によって入力された画像データを記憶する記憶手段を備えているのに対し，引用発明では入力された画像データを記憶するか否かが明記されていない点。
　
４　当審の判断
　上記相違点について検討するに，入力された画像データを記憶する記憶手段の機能又は役割は，特許請求の範囲の記載ではなんら特定されておらず，単に記憶することを限定したものであり，データを記憶すること自体は一般的な技術であるから，上記相違点の構成とする程度のことは当業者であれば適宜想到し得るものと認められる。
　なお，入力データを記憶することは，前述の引用例２及び３にもみられる一般的な技術である。
　
５　むすび
　したがって，本願発明は，引用例に記載された発明に基づいて当業者が容易に発明をすることができたものであるから，特許法２９条２項の規定により特許を受けることができない。
　よって，結論のとおり審決する。